(57)【特許請求の範囲】
【請求項１】
縦折り目を介して連結された複数の胴片と、
前記複数の胴片の少なくとも一部と横折り目を介して連結されたフラップと、
を備える段ボール箱であって、
前記フラップの前記横折り目に達する縦辺上の前記横折り目側の端部であって、前記横折り目と間隔をおいた端部から横方向に延びる切れ目を備え、
前記切れ目は、前記端部とは反対側において、前記横折り目に向けてL字状に屈曲することを特徴とする段ボール箱。
【請求項２】
前記切れ目は、前記胴片の上側の前記フラップ内に備えられていることを特徴とする請求項１に記載の段ボール箱。
【請求項３】
１つの前記縦折り目の左右両側に、ぞれぞれ、その縦折り目側の端部から横方向に延びる前記切れ目を備えることを特徴とする請求項１又は２に記載の段ボール箱。
【発明の詳細な説明】
【技術分野】
【０００１】
本発明は段ボール箱に関する。
【背景技術】
【０００２】
従来、段ボール箱は野菜等の梱包に広く使われている。段ボール箱の機能を向上させるために種々の提案がなされている（特許文献１参照）。
【先行技術文献】
【特許文献】
【０００３】
【特許文献１】特開平８−２５３２３３号公報
【発明の概要】
【発明が解決しようとする課題】
【０００４】
段ボール箱の中に隙間無く野菜等を収納したり、段ボール箱の中に他の箱を押し込んだりした場合、段ボール箱の各胴片（側面）には、外側に押し広げようとする力が加わる。段ボール箱の角には、この力が集中して加わり、角において破断が生じてしまうことがある。本発明は以上の点に鑑みなされたものであり、上述した課題を解決できる段ボール箱を提供することを目的とする。
【課題を解決するための手段】
【０００５】
本発明の段ボール箱は、縦折り目を介して連結された複数の胴片と、前記複数の胴片の少なくとも一部と横折り目を介して連結されたフラップと、を備える段ボール箱であって、前記フラップの前記横折り目に達する縦辺上の前記横折り目側の端部であって、前記横折り目と間隔をおいた端部から横方向に延びる切れ目を備え、前記切れ目は、前記端部とは反対側において、前記横折り目に向けてL字状に屈曲することを特徴とする。
【０００６】
本発明の段ボール箱は、上述した切れ目を備えることにより、角における破断を抑制することができる。
前記切れ目は、例えば、前記胴片の上側の前記フラップ内に備えることができる。
【０００７】
本発明の段ボール箱は、例えば、１つの前記縦折り目の左右両側に、ぞれぞれ、その縦折り目側の端部から横方向に延びる前記切れ目を備えることができる。この場合、段ボール箱の角における破断を抑制する効果が一層向上する。
【図面の簡単な説明】
【０００９】
【図１】段ボール箱１の構成を表す展開図である。
【図２】段ボール箱１の構成を表す斜視図である。
【図３】段ボール箱１が奏する作用効果を表す説明図である。
【図４】段ボール箱１の効果を確かめるために行った試験の結果を表す写真である。
【図５】段ボール箱１のその他の実施形態を表す説明図である。
【図６】段ボール箱１のその他の実施形態を表す説明図である。
【発明を実施するための形態】
【００１０】
本発明の実施形態を図面に基づき説明する。
＜第１の実施形態＞
１．段ボール箱１の構成
段ボール箱１の構成の構成を、図１、図２に基づき説明する。図１は、段ボール箱１を展開した状態を表す。図１では、段ボール箱１ののうち、Ｓ１、Ｓ２の領域を拡大して示す。図２は段ボール箱１を組み立てた状態を表す斜視図である。
【００１１】
段ボール箱１は、図１に示す形状を有する１枚のシートから成る。段ボール箱１は、縦折り目３、５、７を介して連結された４枚の胴片９、１１、１３、１５を備える。胴片９、１１、１３、１５の形状は、それぞれ、矩形である。胴片９と胴片１３とは同一の形状を有し、胴片１１と胴片１５とは同一の形状を有する。胴片９、１３は、胴片１１、１５に比べて、横長の形状を有する。
【００１２】
胴片９、１１、１３、１５における上側の横辺は、それぞれ、横折り目２５、２７、２９、３１となっている。胴片９、１１、１３、１５には、それぞれ、横折り目２５、２７、２９、３１を介して、蓋フラップ１７、１９、２１、２３が連結されている。
【００１３】
また、胴片９、１１、１３、１５の下側の横辺は、それぞれ、横折り目４１、４３、４５、４７となっている。胴片９、１１、１３、１５には、それぞれ、横折り目４１、４３、４５、４７を介して、底フラップ３３、３５、３７、３９が連結されている。
【００１４】
胴片９のうち、縦折り目３の反対側には、糊代片４９が延設されている。糊代片４９は、段ボール箱１を組み立てるとき、胴片１５のうち、縦折り目７とは反対側の端部に接着材を用いて接着される。糊代片４９と胴片９との間には縦折り目８が設けられている。
【００１５】
段ボール箱１は、蓋フラップ１９の右側の縦辺１９Ａ上における横折り目２７側の端部１９Ｂから、横折り目２７と平行に（横方向の一実施形態）に延びる切れ目５１を備えている。切れ目５１は、胴片１１の上側に位置する蓋フラップ１９内に備えられている。切れ目５１は、端部１９Ｂとは反対側においてＬ字状に屈曲し、屈曲部より先は下方向に延びている。
【００１６】
端部１９Ｂの位置は特に限定されないが、例えば、端部１９Ｂと横折り目２７との距離が、縦辺１９Ａの長さの０．１〜３０％、好ましくは１〜１０％、より好ましくは１〜５％となる位置とすることができる。
【００１７】
切れ目５１の横方向における長さは特に限定されないが、例えば、横折り目２７の長さの０．１〜３０％、好ましくは１〜１５％、より好ましくは２〜１０％とすることができる。
【００１８】
切れ目５１の幅は特に限定されず、例えば、切れ目５１の両側の段ボールが接するほどに幅が細い切れ目であってもよいし、所定の幅（例えば、数ミリから数センチ）を有する切れ目であってもよい。
【００１９】
切れ目５１は、段ボール箱１を構成する段ボールのシートの表側から裏側まで達している。後述する切れ目５３、５５、５７、５９でも同様である。
また、段ボール箱１は、蓋フラップ２１における左側の縦辺２１Ａ上の横折り目２９側の端部２１Ｂから、横折り目２９と平行に（横方向の一実施形態）に延びる切れ目５３を備えている。切れ目５３は、胴片１３の上側に位置する蓋フラップ２１内に備えられている。切れ目５３は、端部２１Ｂとは反対側においてＬ字状に屈曲し、屈曲部より先は下方向に延びている。
【００２０】
端部２１Ｂの位置は特に限定されないが、例えば、端部２１Ｂと横折り目２９との距離が、縦辺２１Ａの長さの０．１〜３０％、好ましくは１〜１０％、より好ましくは１〜５％となる位置とすることができる。
【００２１】
切れ目５３の横方向における長さは特に限定されないが、例えば、横折り目２９の長さの０．１〜３０％、好ましくは１〜１５％、より好ましくは２〜１０％とすることができる。
【００２２】
切れ目５３の幅は特に限定されず、例えば、切れ目５３の両側の段ボールが接するほどに幅が細い切れ目であってもよいし、所定の幅（例えば、数ミリから数センチ）を有する切れ目であってもよい。
【００２３】
切れ目５１と切れ目５３は、それぞれ、１つの縦折り目５の左右に備えられている。また、切れ目５１は、蓋フラップ１９のうち、縦折り目５側に位置する端部１９Ｂから横方向に延びており、切れ目５３は、蓋フラップ２１のうち、縦折り目５側に位置する端部２１Ｂから横方向に延びている。
【００２４】
また、段ボール箱１は、蓋フラップ２３における左側の縦辺２３Ａ上の横折り目３１側の端部２３Ｂから横方向に延びる切れ目５５を備えている。切れ目５５は、胴片１５の上側に位置する蓋フラップ２３内に備えられている。切れ目５５は、端部２３Ｂとは反対側においてＬ字状に屈曲し、屈曲部より先は下方向に延びている。
【００２５】
端部２３Ｂの位置は特に限定されないが、例えば、端部２３Ｂと横折り目３１との距離が、縦辺２３Ａの長さの０．１〜３０％、好ましくは１〜１０％、より好ましくは１〜５％となる位置とすることができる。
【００２６】
切れ目５５の横方向における長さは特に限定されないが、例えば、横折り目３１の長さの０．１〜３０％、好ましくは１〜１５％、より好ましくは２〜１０％とすることができる。
【００２７】
切れ目５５の幅は特に限定されず、例えば、切れ目５５の両側の段ボールが接するほどに幅が細い切れ目であってもよいし、所定の幅（例えば、数ミリから数センチ）を有する切れ目であってもよい。
【００２８】
また、段ボール箱１は、蓋フラップ１９における左側の縦辺１９Ａ上に、切れ目５１、５３、５５と同様の切れ目５７を備えている。また、段ボール箱１は、蓋フラップ１７における左側の縦辺１７Ａ上に、切れ目５１、５３、５５、５７と同様の切れ目５９を備えている。
【００２９】
図２に示すように、直方体形状の段ボール箱１を組み立て、蓋フラップ１９を横折り目２７で折り曲げたとき、蓋フラップ１９のうち、切れ目５１より下側の部分は、横折り目２７で折れ曲がらず、直立した状態となる。切れ目５３、５５、５７、５９についても同様となる。
【００３０】
２．段ボール箱１が奏する効果
図３Ａに示すように、段ボール箱１の角（図３Ａでは縦折り目５が存在する角）の付近において、胴片１１、１３に対し、それぞれ、外側に押し広げる方向の力を加える。この場合、切れ目５１、５３が存在することにより、縦折り目５の角の近傍における剛性が低下し、図３Ａに示すような変形を許容する。その結果、縦折り目５の角に力が集中することなく、その周囲に力が分散し、縦折り目５の角における破断を抑制できる。段ボール箱１のその他の角（縦折り目３の角、縦折り目７の角、縦折り目８の角）においても、切れ目５５、５７、５９により、同様にして、角での破断を抑制することができる。
【００３１】
一方、段ボール箱１と基本的な構成は同様であるが、切れ目５１、５３、５５、５７、５９を備えていない段ボール箱１０１では、胴片１１’、１３’に対し、それぞれ、外側に押し広げる方向の力を加えた場合、図３Ｂに示すように、縦折り目５’の角に力が集中し、そこで破断が生じ易くなってしまう。なお、図３Ｂにおいて、５’、１１’、１３’は、それぞれ、段ボール箱１における縦折り目５、胴片１１、１３に対応する部分である。
【００３２】
上記の効果を試験により確認した。図４Ａ、４Ｂに示すように、段ボール箱１における１つの角を構成する２つの胴片に対し、それぞれ、外側に押し広げる方向の力を加えたところ、角の部分で変形が生じ、その変形によって加わる力が分散され、角における破断が生じにくかった。
【００３３】
それに対し、図４Ｃに示すように、切れ目５１、５３、５５、５７、５９を備えていない段ボール箱に対し、同様の試験を行ったところ、角に力が集中し、その角において容易に破断が生じた。
【００３４】
＜その他の実施形態＞
（１）切れ目５１、５３、５５、５７、５９の位置や形状は、その他のものであってもよい。例えば、図５Ａに示すように、切れ目５１は、横折り目２７上の端部２７Ａから、水平方向に延びるものであってもよい。この切れ目５１は、横折り目２７上に存在し、直線形状を有する。また、切れ目５３は、横折り目２９上の端部２９Ａから、横方向に延びるものであってもよい。この切れ目５３は、横折り目２９上に存在し、直線形状を有する。
【００３５】
切れ目５５、５７、５９も同様のものとすることができる。
（２）切れ目５１は、図５Ｂに示すように、横折り目２７上の端部２７Ａから、斜め横方向に延びるＬ字型のものであってもよい。また、切れ目５３は、図５Ｂに示すように、横折り目２９上の端部２９Ａから、斜め横方向に延びるＬ字型のものであってもよい。
【００３６】
切れ目５５、５７、５９も同様のものとすることができる。
（３）切れ目５１は、図５Ｃに示すように、横折り目２７上の端部２７Ａから、曲線状に延びるものであってもよい。また、切れ目５３は、図５Ｃに示すように、横折り目２９上の端部２９Ａから、曲線状に延びるものであってもよい。
【００３７】
切れ目５５、５７、５９も同様のものとすることができる。
（４）図６Ａ〜Ｃに示すように、縦折り目５の付近には、切れ目５３のみを設け、切れ目５１は設けなくてもよい。なお、図６Ａ〜Ｃにおける切れ目５３の形状は、それぞれ、図５Ａ〜Ｃにおける切れ目５３と同様である。
【００３８】
また、縦折り目５の付近には、切れ目５１のみを設け、切れ目５３は設けなくてもよい。
（５）縦折り目３、７、８の角では、縦折り目５の角と同様に、左右それぞれに切れ目を備えていてもよい。
【００３９】
（６）縦折り目３の角、縦折り目５の角、縦折り目７の角、縦折り目８の角のうちのいずれかは、切れ目を備えていなくてもよい（ただし、全ての角に切れ目がない場合は除く）。
【００４０】
（７）段ボール箱１は、横折り目４１、４３、４５、４７上、又は底フラップ３３、３５、３７、３９内に、切れ目５１、５３、５５、５７、５９と同様の切れ目を備えていてもよい。
【００４１】
（８）段ボール箱１は、蓋フラップ１７、１９、２１、２３のうちのいずれかを備えないものであってもよい。
【符号の説明】
【００４２】
１…段ボール箱、３、５、７、８…縦折り目、９、１１、１３、１５…胴片、１７、１９、２１、２３…蓋フラップ、１７Ａ、１９Ａ、２１Ａ、２３Ａ…縦辺、１９Ｂ、２１Ｂ、２３Ｂ…端部、２５、２７、２９、３１、４１、４３、４５、４７…横折り目、２７Ａ、２９Ａ…端部、３３、３５、３７、３９…底フラップ、４９…糊代片、５１、５３、５５、５７、５９…切れ目
【要約】
【課題】角における破断を抑制できる段ボール箱を提供すること。
【解決手段】縦折り目３、５、７、８を介して連結された複数の胴片９、１１、１３、１５と、前記複数の胴片の少なくとも一部と横折り目２５、２７、２９、３１を介して連結されたフラップ１７、１９、２１、２３と、を備える段ボール箱１であって、前記横折り目上の端部２７Ａ、２９Ａ、又は、前記フラップの縦辺１９Ａ、２１Ａ、２３Ａ上の前記横折り目側の端部１９Ｂ、２１Ｂ、２３Ｂから横方向に延びる切れ目５１、５３、５５、５７、５９を備えることを特徴とする段ボール箱。
【選択図】図１【図１】
0005586774.tif 000002
【図２】
0005586774.tif 000003
【図３】
0005586774.tif 000004
【図５】
0005586774.tif 000005
【図６】
0005586774.tif 000006
【図４】
0005586774.tif 000007